(57)【要約】【課題】ユーザに行動目標の達成のための行動を効率的に習得させるために有用な行動目標達成支援システムを提供する。【解決手段】所定行動目標の達成を支援する行動目標達成支援システム１０は、第１ユーザの行動に関連したセンシングの結果に基づいて第１ユーザの所定行動目標の達成度合いを示す第１レベルを逐次特定する自己レベル特定部１１０ａと、第２ユーザの行動に関連したセンシングの結果に基づいて第２ユーザの所定行動目標の達成度合いを示す第２レベルを逐次特定する他者レベル特定部１３０ａと、第１レベルと第２レベルとに基づいて、第１ユーザに対して提示用情報を提示する提示部１４０ａとを備える。【選択図】図１
2018195004.tif 000002
【特許請求の範囲】
【請求項１】
所定行動目標の達成を支援する行動目標達成支援システムであって、
第１ユーザの行動に関連したセンシングの結果に基づいて前記第１ユーザの前記所定行動目標の達成度合いを示す第１レベルを逐次特定する第１特定部と、
第２ユーザの行動に関連したセンシングの結果に基づいて前記第２ユーザの前記所定行動目標の達成度合いを示す第２レベルを逐次特定する第２特定部と、
前記第１レベルと前記第２レベルとに基づいて、前記第１ユーザに対して提示用情報を提示する第１提示部とを備える
行動目標達成支援システム。
【請求項２】
前記第１提示部は、前記第１特定部により特定された前記第１レベルを示す第１提示用情報と前記第２特定部により特定された前記第２レベルを示す第２提示用情報とを逐次提示し、前記第１レベルについて所定条件が成立した場合には前記第１レベルと前記第２レベルとの差分に応じて第３提示用情報を提示する
請求項１記載の行動目標達成支援システム。
【請求項３】
前記第１提示部は、前記第３提示用情報の提示に際して前記第１レベルが前記第２レベルより高い場合には、前記第１レベルが前記第２レベルより高くない場合より長い時間に亘って前記第３提示用情報を提示する
請求項２記載の行動目標達成支援システム。
【請求項４】
前記第１提示部は、前記第３提示用情報の提示に際して、前記第１レベルが前記第２レベルより高くない場合には、前記第３提示用情報として、前記第１ユーザの行動を褒めた情報を表した所定時間の映像を表示し、前記第１レベルが前記第２レベルより高い場合には、前記第３提示用情報として、前記第１ユーザの行動を褒めた情報を表した、前記所定時間より長時間の映像を表示する
請求項３記載の行動目標達成支援システム。
【請求項５】
前記第１提示部は、前記第３提示用情報の提示に際して、前記第１レベルと前記第２レベルとの差分に応じて定めた時間に亘って前記第３提示用情報を提示する
請求項２〜４のいずれか一項に記載の行動目標達成支援システム。
【請求項６】
前記行動目標達成支援システムは更に、前記所定行動目標の達成についての前記第１ユーザ及び前記第２ユーザそれぞれの上達度を示す上達度情報を取得する取得部を備え、
前記第１提示部は、前記第１レベルと前記第２レベルとの差分と、前記上達度情報が示す前記第１ユーザ及び前記第２ユーザの上達度の差分とに応じて定めた時間に亘って前記第３提示用情報を提示する
請求項５記載の行動目標達成支援システム。
【請求項７】
前記第１提示部は、前記第３提示用情報の提示に際して前記第１レベルが前記第２レベルより高い場合には、前記第１レベルが前記第２レベルより高くない場合より長い時間に亘って前記所定行動目標の達成を阻むように予め定められた内容を示す前記第３提示用情報を提示する
請求項２記載の行動目標達成支援システム。
【請求項８】
前記第１提示部は、前記第３提示用情報の提示に際して、前記第１レベルと前記第２レベルとの差分に応じて定めた内容の前記第３提示用情報を提示する
請求項２記載の行動目標達成支援システム。
【請求項９】
前記第１提示部は、単位時間当たりの前記第１レベルの変化量が所定閾値より大きくなった場合に、前記第１ユーザの行動を褒めた情報を提示する
請求項１〜８のいずれか一項に記載の行動目標達成支援システム。
【請求項１０】
前記第１特定部と前記第２特定部と前記第１提示部とは、前記第１ユーザが前記所定行動目標のための行動を行う第１施設内に所在し、
前記第１特定部は、前記第１施設におけるセンサによるセンシングの結果に基づいて前記第１レベルを逐次特定し、
前記行動目標達成支援システムは、前記第１施設と離れた、前記第２ユーザが前記所定行動目標の行動を行う第２施設における第２通信部から前記第２施設におけるセンサによるセンシングの結果に基づくセンシング情報を逐次受信する第１通信部を備え、
前記第２特定部は、前記第１通信部が逐次受信した前記センシング情報に基づいて前記第２レベルを逐次特定する
請求項１〜９のいずれか一項に記載の行動目標達成支援システム。
【請求項１１】
前記第１特定部と前記第２特定部と前記第１提示部とは、前記第１ユーザが前記所定行動目標のための行動を行う第１施設内に所在し、
前記第１特定部は、前記第１施設におけるセンサによるセンシングの結果に基づいて前記第１レベルを逐次特定し、
前記行動目標達成支援システムは、
前記第１施設におけるセンサによるセンシングの結果に基づく第１センシング情報を逐次送信する、前記第１施設における第１通信部と、
前記第１施設と離れた、前記第２ユーザが前記所定行動目標の行動を行う第２施設におけるセンサによるセンシングの結果に基づく第２センシング情報を逐次送信する、前記第２施設における第２通信部とを備え、
前記第１通信部は、前記第２センシング情報を逐次受信し、
前記第２通信部は、前記第１センシング情報を逐次受信し、
前記第２特定部は、前記第１通信部が逐次受信した前記第２センシング情報に基づいて前記第２レベルを逐次特定し、
前記行動目標達成支援システムは更に、前記第１センシング情報に基づいて、前記第２施設内で前記第２ユーザに対して提示用情報を提示する第２提示部を備え、
前記第１センシング情報は、前記第１ユーザをイメージセンサで撮像した画像を含み、
前記第２センシング情報は、前記第２ユーザをイメージセンサで撮像した画像を含み、
前記第１提示部は更に、前記第１通信部が逐次受信した前記第２センシング情報に含まれる前記画像を表示し、
前記第２提示部は更に、前記第２通信部が逐次受信した前記第１センシング情報に含まれる前記画像を表示する
請求項１〜９のいずれか一項に記載の行動目標達成支援システム。
【請求項１２】
前記所定行動目標は、ユーザが使用した収納対象物品を収納することであり、
前記第１レベルは、前記第１ユーザが使用した収納対象物品の総数に対する収納済みの物品の数であり、
前記第２レベルは、前記第２ユーザが使用した収納対象物品の総数に対する収納済みの物品の数である
請求項１〜１１のいずれか一項に記載の行動目標達成支援システム。
【請求項１３】
所定行動目標の達成を支援する行動目標達成支援システムで用いられる情報処理方法であって、
第１ユーザの行動に関連したセンシングの結果に基づいて前記第１ユーザの前記所定行動目標の達成度合いを示す第１レベルを逐次特定する第１特定ステップと、
第２ユーザの行動に関連したセンシングの結果に基づいて前記第２ユーザの前記所定行動目標の達成度合いを示す第２レベルを逐次特定する第２特定ステップと、
前記第１ユーザに対して、前記第１特定ステップで特定された前記第１レベルを示す第１提示用情報と前記第２特定ステップで特定された前記第２レベルを示す第２提示用情報とを逐次提示し、前記第１レベルについて所定条件が成立した場合には前記第１レベルと前記第２レベルとの差分に応じて第３提示用情報を提示する提示ステップとを含む
情報処理方法。
【請求項１４】
所定行動目標の達成を支援する行動目標達成支援システムを構成するコンピュータに情報処理を実行させるためのプログラムであって、
前記情報処理は、
第１ユーザの行動に関連したセンシングの結果に基づいて前記第１ユーザの前記所定行動目標の達成度合いを示す第１レベルを逐次特定する第１特定ステップと、
第２ユーザの行動に関連したセンシングの結果に基づいて前記第２ユーザの前記所定行動目標の達成度合いを示す第２レベルを逐次特定する第２特定ステップと、
前記第１ユーザに対して、前記第１特定ステップで特定された前記第１レベルを示す第１提示用情報と前記第２特定ステップで特定された前記第２レベルを示す第２提示用情報とを逐次提示し、前記第１レベルについて所定条件が成立した場合には前記第１レベルと前記第２レベルとの差分に応じて第３提示用情報を提示する提示ステップとを含む
プログラム。
【発明の詳細な説明】
【技術分野】
【０００１】
本発明は、行動目標の達成を支援する行動目標達成支援システム、並びに、この行動目標達成支援システムで用いられる情報処理方法及びプログラムに関する。
【背景技術】
【０００２】
従来、幼児或いは犬に特定の行動を習得させるために機器を制御する技術が知られている。例えば、特許文献１には、幼児による監視領域への侵入行動を監視しその行動に応じて、柵を上昇させる制御を行う、又は、しつけ情報を出力する技術が、記載されている。また、特許文献２には、犬のしつけを効率的に行うためにオペラント条件付け理論に基づいて、一定時間犬の吠え声を感知しなければ給餌機を制御して餌を出す技術が、記載されている。
【先行技術文献】
【特許文献】
【０００３】
【特許文献１】特開２００４−７８３０４号公報
【特許文献２】特開２００７−８２４８８号公報
【発明の概要】
【発明が解決しようとする課題】
【０００４】
幼児に行動目標を達成するための特定の行動（例えば玩具を片付ける行動）を習得させるという幼児のしつけを効率的に行うことができれば、幼児の保護者への育児負担が軽減され得る。
【０００５】
そこで、本発明は、幼児等のユーザに行動目標の達成のための行動を効率的に習得させるために有用な行動目標達成支援システムを提供することを目的とする。また、本発明は、この行動目標達成支援システムで用いられる情報処理方法、及び、プログラムを提供することを目的とする。
【課題を解決するための手段】
【０００６】
上記目的を達成するために本発明の一態様に係る行動目標達成支援システムは、所定行動目標の達成を支援する行動目標達成支援システムであって、第１ユーザの行動に関連したセンシングの結果に基づいて前記第１ユーザの前記所定行動目標の達成度合いを示す第１レベルを逐次特定する第１特定部と、第２ユーザの行動に関連したセンシングの結果に基づいて前記第２ユーザの前記所定行動目標の達成度合いを示す第２レベルを逐次特定する第２特定部と、前記第１レベルと前記第２レベルとに基づいて、前記第１ユーザに対して提示用情報を提示する第１提示部とを備える。
【０００７】
また、上記目的を達成するために本発明の一態様に係る情報処理方法は、所定行動目標の達成を支援する行動目標達成支援システムで用いられる情報処理方法であって、第１ユーザの行動に関連したセンシングの結果に基づいて前記第１ユーザの前記所定行動目標の達成度合いを示す第１レベルを逐次特定する第１特定ステップと、第２ユーザの行動に関連したセンシングの結果に基づいて前記第２ユーザの前記所定行動目標の達成度合いを示す第２レベルを逐次特定する第２特定ステップと、前記第１ユーザに対して、前記第１特定ステップで特定された前記第１レベルを示す第１提示用情報と前記第２特定ステップで特定された前記第２レベルを示す第２提示用情報とを逐次提示し、前記第１レベルについて所定条件が成立した場合には前記第１レベルと前記第２レベルとの差分に応じて第３提示用情報を提示する提示ステップとを含む。
【０００８】
また、上記目的を達成するために本発明の一態様に係るプログラムは、所定行動目標の達成を支援する行動目標達成支援システムを構成するコンピュータに情報処理を実行させるためのプログラムであって、前記情報処理は、第１ユーザの行動に関連したセンシングの結果に基づいて前記第１ユーザの前記所定行動目標の達成度合いを示す第１レベルを逐次特定する第１特定ステップと、第２ユーザの行動に関連したセンシングの結果に基づいて前記第２ユーザの前記所定行動目標の達成度合いを示す第２レベルを逐次特定する第２特定ステップと、前記第１ユーザに対して、前記第１特定ステップで特定された前記第１レベルを示す第１提示用情報と前記第２特定ステップで特定された前記第２レベルを示す第２提示用情報とを逐次提示し、前記第１レベルについて所定条件が成立した場合には前記第１レベルと前記第２レベルとの差分に応じて第３提示用情報を提示する提示ステップとを含む。
【発明の効果】
【０００９】
本発明の一態様に係る行動目標達成支援システム等によれば、ユーザが行動目標の達成について競争することが可能となる。この競争によりユーザが自発的に行動目標の達成のための行動を行う可能性が高まり、その結果としてユーザは効率的にその行動を習得可能となり得る。
【図面の簡単な説明】
【００１０】
【図１】実施の形態１に係る行動目標達成支援システムの概略構成図である。
【図２】行動目標達成支援システムで用いられる達成レベル評価テーブルの一例を示す図である。
【図３】行動目標達成支援システムで用いられる達成レベル評価テーブルの別の一例を示す図である。
【図４】行動目標達成支援システムの提示部での提示に用いられる短時間映像（短時間の褒美映像）の一例を示す図である。
【図５】行動目標達成支援システムの提示部での提示に用いられる長時間映像（長時間の褒美映像）の一例を示す図である。
【図６】行動目標達成支援システムの提示部で提示する画面における表示要素の配置例を示す図である。
【図７】行動目標達成支援システムの提示部で提示される画面の一例を示す図である。
【図８】実施の形態１に係る行動目標達成支援システムの情報処理装置の動作例を示すフローチャートである。
【図９】実施の形態２に係る行動目標達成支援システムの情報処理装置の構成図である。
【図１０】実施の形態２に係る行動目標達成支援システムの情報処理装置の動作例を示すフローチャートである。
【発明を実施するための形態】
【００１１】
（実施の形態１）
以下、実施の形態について、図面を参照しながら説明する。ここで示す実施の形態は、いずれも本発明の一具体例を示すものである。従って、以下の実施の形態で示される数値、形状、材料、構成要素、構成要素の配置及び接続形態、並びに、ステップ（工程）及びステップの順序等は、一例であって本発明を限定するものではない。以下の実施の形態における構成要素のうち、独立請求項に記載されていない構成要素については、任意に付加可能な構成要素である。また、各図は、模式図であり、必ずしも厳密に図示されたものではない。
【００１２】
以下、本発明の一実施形態に係る行動目標達成支援システムについて説明する。
【００１３】
幼児、児童等のしつけとして、特定の行動（例えば遊び終わったら玩具を片付ける整理収納行動）を習得させる場合に、親等といった保護者は、幼児等の特定の行動を褒めて、行動を習慣付けさせる。しかし、保護者は、家事等を行っている際には、適切なタイミングで幼児等を褒めることができない。そこで、しつけの育児負担を軽減するシステムが必要とされる。このような必要性に対応し、本実施の形態に係る行動目標達成支援システムは、幼児、児童等といったユーザに特定の行動目標を達成するための特定の行動を習得させるために情報の提示に係る制御を行う。ところで、幼児、児童等は、その行動目標の達成について、兄弟姉妹、いとこ、友達等と競争すると、自発的にその特定の行動（例えば整理収納行動）を行う。そこで、本実施の形態に係る行動目標達成支援システムは、幼児、児童等が行動目標の達成のための行動の習得を効率的に行えるようにすべく、幼児、児童等が行動目標の達成について競争できる環境を実現する構成を備える。
【００１４】
（構成）
図１は、本実施の形態に係る行動目標達成支援システム１０の概略構成を示す図である。ここでは、各住宅２０ａ、２０ｂに住む友達同士である２人の幼児（幼児Ａ及び幼児Ｂ）をユーザとして、ユーザに整理収納行動を習得させるために、主に各住宅内に設置される装置類で構成され、情報の提示に係る制御を行う行動目標達成支援システム１０について説明する。各幼児の保護者（親等）は、幼児に、玩具で遊んだ後に適切に整理収納行動を習得させるべく行動目標達成支援システム１０を活用し得る。整理収納行動は、例えば複数の物品を利用した後における複数の物品の収納に係る行動であり、具体例としては、複数の玩具で遊んだ後に、それら複数全ての玩具を片付ける行動である。即ち、行動目標達成支援システム１０は、具体例としては、幼児に、所定の玩具の全てを片付けるという行動目標を達成させることを支援するシステムであり、その支援のための情報処理方法を用いる。説明の便宜上、行動目標達成支援システム１０の第１ユーザが、住宅２０ａに住む幼児Ａであり、第２ユーザが、住宅２０ｂに住む幼児Ｂであることとする。
【００１５】
行動目標達成支援システム１０は、図１に示すように、情報処理装置１００ａ、１００ｂと、イメージセンサ２１ａ、２１ｂとを含んで構成される。情報処理装置１００ａ及びイメージセンサ２１ａは、住宅２０ａに設置される。情報処理装置１００ｂ及びイメージセンサ２１ｂは、住宅２０ｂに設置される。住宅２０ａに住む幼児Ａ及び住宅２０ｂに住む幼児Ｂのそれぞれは、各住宅で予め定まっている玩具の全てを玩具箱に収納するという共通の所定行動目標の達成のための整理収納行動を各住宅において行う。住宅２０ａにおいては幼児Ａが玩具を玩具箱２２ａに収納するという整理収納行動が行われ、住宅２０ｂにおいては幼児Ｂが玩具を玩具箱２２ｂに収納するという整理収納行動が行われることになる。例えば、住宅２０ａにおける幼児Ａの保護者と、住宅２０ｂにおける幼児Ｂの保護者とが、電話、スマートフォン等により相互に連絡して各幼児に整理収納行動を開始させ、或いは予め定められた時間帯に各幼児に整理収納行動を開始させる。これにより、幼児Ａと幼児Ｂとは、整理収納行動を競い合って行うことが可能となる。整理収納行動を開始させる時間帯が予め定められている場合に各情報処理装置はその開始タイミングをユーザに報知してもよい。なお、行動目標達成支援システム１０の利用に際して、各幼児の整理収納行動の開始タイミングは概ね揃えられることが想定されるが、揃えられることが必須な訳ではない。
【００１６】
イメージセンサ２１ａ、２１ｂは、撮像により画像（つまり画像データ）を逐次生成して情報処理装置に送信する撮像装置である。イメージセンサ２１ａは、情報処理装置１００ａと通信可能である。イメージセンサ２１ａは、住宅２０ａ内の幼児Ａが遊ぶ部屋等である空間を対象として撮像することにより、その空間に関しての画像データつまり幼児Ａを撮像した画像データを生成して、その画像データを情報処理装置１００ａへと送信する。イメージセンサ２１ａが送信する画像データは、幼児Ａの行動に関連したセンシングの結果を示すことになる。また、イメージセンサ２１ｂは、情報処理装置１００ｂと通信可能である。イメージセンサ２１ｂは、住宅２０ｂ内の幼児Ｂが遊ぶ部屋等である空間を対象として撮像することにより、その空間に関しての画像データつまり幼児Ｂを撮像した画像データを生成して、その画像データを情報処理装置１００ｂへと送信する機能を有する。イメージセンサ２１ｂが送信する画像データは、幼児Ｂの行動に関連したセンシングの結果を示すことになる。
【００１７】
情報処理装置１００ａ、１００ｂは、例えば、幼児に整理収納行動を習得させるために、幼児の行動の評価、評価に基づく行動目標の達成の支援のために情報の提示等を行うコンピュータである。情報処理装置１００ａ、１００ｂは、イメージセンサから逐次送信される画像データに基づき、幼児の行動の評価、評価に基づく情報の提示等を行う。この情報の提示は、具体的には、例えば、各幼児を撮像した画像と各幼児の評価結果に応じた情報とをディスプレイに表示すること等により実現される。情報処理装置１００ａ、１００ｂは、幼児の評価結果に応じた情報として、例えば幼児を褒める内容の映像（例えば動画）である褒美映像等を表示し得る。幼児が行動目標の達成のための行動を行った後に褒美映像を表示することは、オペラント条件付け理論によれば、幼児に目標行動としての整理収納行動を自発的に実行する頻度を増加させる影響を与えることになる。褒美映像の表示は、報酬（つまり幼児の目標行動の自発頻度を高める刺激）として作用する。なお、情報処理装置１００ａ、１００ｂは、上述の情報の提示として、褒美映像の表示の他、文字、音声、静止画、動画等を、人間の知覚（例えば視覚、聴覚等）に作用するいかなる機器（例えばスピーカ等）で出力してもよい。褒美映像の内容は、例えば、オペラント条件付け理論に従って、幼児に目標行動を自発的に実行する頻度を増加させる影響を与えることを意図して定められたものである。
【００１８】
情報処理装置１００ａと情報処理装置１００ｂとは、有線又は無線の通信ネットワークを介して、相互に通信可能である。
【００１９】
情報処理装置１００ａは、イメージセンサ２１ａから住宅２０ａ内の幼児Ａに係る画像データを取得して、幼児Ａの整理収納行動を評価し、幼児Ａに係る画像データ及び評価結果を住宅２０ｂの情報処理装置１００ｂに送信する。また、情報処理装置１００ｂは、イメージセンサ２１ｂから住宅２０ｂ内の幼児Ｂに係る画像データを取得して、幼児Ｂの整理収納行動を評価し、幼児Ｂに係る画像データ及び評価結果を住宅２０ａの情報処理装置１００ａに送信する。これにより、情報処理装置１００ａ及び情報処理装置１００ｂのそれぞれにおいて、各住宅において整理収納行動を行なっている２人の幼児の画像、評価結果に基づく情報等をディスプレイに表示することが可能になる。
【００２０】
情報処理装置１００ａ、１００ｂは、通信インタフェース（Ｉ／Ｆ）、メモリ及びプロセッサ（マイクロプロセッサ）等を含んで構成される。通信Ｉ／Ｆは、無線通信或いは有線通信のための通信回路等である。情報処理装置１００ａは、通信Ｉ／Ｆにより、例えばイメージセンサ２１ａ、及び、情報処理装置１００ｂと通信可能である。情報処理装置１００ｂは、通信Ｉ／Ｆにより、例えばイメージセンサ２１ｂ、及び、情報処理装置１００ａと通信可能である。メモリは、プログラム及びデータを予め保持しているＲＯＭ、プログラムの実行に際してデータ等の記憶に利用するためのＲＡＭ等であり、例えば不揮発性メモリを含んでいてもよい。なお、情報処理装置１００ａ、１００ｂは、メモリの他にハードディスク等の記憶媒体を含んでもよい。プロセッサは、メモリに格納されたプログラムを実行することにより通信Ｉ／Ｆ等を制御して情報処理を行う。情報処理装置１００ａ、１００ｂは、例えば、幼児の保護者等による操作（例えば起動操作、停止操作等）を受け付けるためのユーザインタフェースとしての入力装置（キーボード、タッチパネル、或いは、音声入力装置等）及びディスプレイを有する。なお、情報処理装置１００ａ、１００ｂは、プロジェクタ、テレビジョン受信機、音声再生装置等に情報を出力してもよい。
【００２１】
情報処理装置１００ａは、画像データに基づく幼児の行動の評価、評価結果に基づく情報の提示等を行う機能を実現するために、機能面では、図１に示すように自己レベル特定部１１０ａ、通信部１２０ａ、他者レベル特定部１３０ａ及び提示部１４０ａを備える。また、情報処理装置１００ｂは、情報処理装置１００ａと同様の機能を実現するために、機能面では、図１に示すように自己レベル特定部１１０ｂ、通信部１２０ｂ、他者レベル特定部１３０ｂ及び提示部１４０ｂを備える。
【００２２】
情報処理装置１００ａの自己レベル特定部１１０ａは、例えば情報処理装置１００ａのメモリ、ハードディスク等の記憶媒体、通信Ｉ／Ｆ、及び、プログラムを実行するプロセッサ等により実現される。自己レベル特定部１１０ａは、幼児Ａの行動に関連したセンシングの結果に基づいて幼児Ａの整理収納行動に係る所定行動目標の達成度合いを示す達成レベル（つまり幼児Ａの達成レベル）を逐次特定する。なお、幼児Ａの達成レベルは、例えば、所定行動目標に対する幼児Ａの整理収納行動の進捗の度合いであり得る。具体的には、自己レベル特定部１１０ａは、幼児Ａを撮像可能なイメージセンサ２１ａのセンシングの結果である画像データに基づく画像認識処理で玩具を認識し、玩具箱２２ａに収納された玩具の個数を検出して、玩具の個数に応じて幼児Ａの達成レベルを特定する。例えば、画像認識処理により、玩具箱２２ａに収納されておらず床等に散らばっている玩具の個数を検出して、その個数を全ての玩具数から減算することで、玩具箱２２ａに収納された玩具の個数の検出を行ってもよい。自己レベル特定部１１０ａは、例えば、情報処理装置１００ａのメモリ等の記憶媒体に予め記憶されている達成レベル評価テーブルを利用して、達成レベルを特定する。図２は、検出された玩具の個数から、０〜１０のいずれかで表される達成レベルを特定するために用いられる達成レベル評価テーブルの一例である。自己レベル特定部１１０ａは、達成レベルの特定を、例えば、数秒間隔等で繰り返し行う。このために自己レベル特定部１１０ａがイメージセンサ２１ａに画像データを数秒間隔等で繰り返し要求することとしてもよいし、イメージセンサ２１ａが自ら数秒間隔等の周期で撮像により画像データを生成して送信することとしてもよい。なお、自己レベル特定部１１０ａが、幼児Ａの達成レベルを特定する方法は、いかなる方法であってもよい。自己レベル特定部１１０ａは、何らかのセンサによる幼児Ａの行動に関連したセンシングの結果に基づいて幼児Ａの達成レベルを特定することになる。また、達成レベルの段階数は０〜１０に限られることはない。例えば、幼児Ａの達成レベルは、幼児Ａが使用した収納対象物品である玩具の総数に対する、収納済みの物品である玩具の数であることとしてもよい。また、玩具箱２２ａに、収納された玩具の合計重量を示す重量データを情報処理装置１００ａに送信する重量センサを内蔵させ、自己レベル特定部１１０ａが、図３に例示するような達成レベル評価テーブルを用いて重量データに基づいて達成レベルを特定してもよい。自己レベル特定部１１０ａは、特定した幼児Ａの達成レベルとイメージセンサ２１ａから受信した画像データとを通信部１２０ａ及び提示部１４０ａに伝える。
【００２３】
情報処理装置１００ｂの自己レベル特定部１１０ｂは、例えば情報処理装置１００ｂのメモリ、ハードディスク等の記憶媒体、通信Ｉ／Ｆ、及び、プログラムを実行するプロセッサ等により実現される。自己レベル特定部１１０ｂは、幼児Ｂの行動に関連したセンシングの結果に基づいて幼児Ｂの整理収納行動に係る所定行動目標の達成度合いを示す達成レベル（つまり幼児Ｂの達成レベル）を逐次特定する。なお、幼児Ｂの達成レベルは、例えば、所定行動目標に対する幼児Ｂの整理収納行動の進捗の度合いであり得る。具体的には、自己レベル特定部１１０ｂは、幼児Ｂを撮像可能なイメージセンサ２１ｂのセンシングの結果である画像データに基づく画像認識処理で玩具を認識し、玩具箱２２ｂに収納された玩具の個数を検出して、玩具の個数に応じて幼児Ｂの達成レベルを特定する。この場合に自己レベル特定部１１０ｂは、例えば、情報処理装置１００ｂのメモリ等の記憶媒体に予め記憶されている達成レベル評価テーブルを利用して、達成レベルを特定する。自己レベル特定部１１０ｂが用いる達成レベル評価テーブルは、自己レベル特定部１１０ａが用いる達成レベル評価テーブル（図２参照）と同じであってもよいが、必ずしも同じである必要はない。自己レベル特定部１１０ｂは、達成レベルの特定を、例えば、数秒間隔等で繰り返し行う。このために自己レベル特定部１１０ｂがイメージセンサ２１ｂに画像データを数秒間隔等で繰り返し要求することとしてもよいし、イメージセンサ２１ｂが自ら数秒間隔等の周期で撮像により画像データを生成して送信することとしてもよい。なお、自己レベル特定部１１０ｂが、幼児Ｂの達成レベルを特定する方法は、いかなる方法であってもよい。例えば、幼児Ｂの達成レベルは、幼児Ｂが使用した収納対象物品である玩具の総数に対する、収納済みの物品である玩具の数であることとしてもよい。また、玩具箱２２ｂに、収納された全ての玩具の合計重量を示す重量データを情報処理装置１００ｂに送信する重量センサを内蔵させ、自己レベル特定部１１０ｂが、図３の例の達成レベル評価テーブルと同様なテーブルを用いて重量データに基づいて達成レベルを特定してもよい。自己レベル特定部１１０ｂは、特定した幼児Ｂの達成レベルとイメージセンサ２１ｂから受信した画像データとを通信部１２０ｂ及び提示部１４０ｂに伝える。
【００２４】
情報処理装置１００ａの通信部１２０ａは、例えば情報処理装置１００ａの通信Ｉ／Ｆ、及び、プログラムを実行するプロセッサ等により実現される。通信部１２０ａは、住宅２０ａにおけるイメージセンサ２１ａによるセンシングの結果に基づく幼児Ａを撮像した画像（つまり画像データ）と自己レベル特定部１１０ａが特定した幼児Ａの達成レベルとを含む第１センシング情報を情報処理装置１００ｂに逐次送信する。また、通信部１２０ａは、情報処理装置１００ｂから逐次送信される第２センシング情報を逐次受信する。
【００２５】
情報処理装置１００ｂの通信部１２０ｂは、例えば情報処理装置１００ｂの通信Ｉ／Ｆ、及び、プログラムを実行するプロセッサ等により実現される。通信部１２０ｂは、住宅２０ｂにおけるイメージセンサ２１ｂによるセンシングの結果に基づく幼児Ｂを撮像した画像（つまり画像データ）と自己レベル特定部１１０ｂが特定した幼児Ｂの達成レベルとを含む第２センシング情報を情報処理装置１００ａに逐次送信する。また、通信部１２０ｂは、情報処理装置１００ａから逐次送信される第１センシング情報を逐次受信する。
【００２６】
情報処理装置１００ａの他者レベル特定部１３０ａは、例えば情報処理装置１００ａにおけるプログラムを実行するプロセッサ等により実現される。他者レベル特定部１３０ａは、通信部１２０ａが逐次受信した第２センシング情報に基づいて、幼児Ｂの達成レベルを逐次特定する。具体的には、他者レベル特定部１３０ａは、通信部１２０ａが逐次受信した第２センシング情報における幼児Ｂの達成レベルを取得することで、幼児Ｂの達成レベルを特定し、その達成レベルを提示部１４０ａに伝える。
【００２７】
情報処理装置１００ｂの他者レベル特定部１３０ｂは、例えば情報処理装置１００ｂにおけるプログラムを実行するプロセッサ等により実現される。他者レベル特定部１３０ｂは、通信部１２０ｂが逐次受信した第１センシング情報に基づいて、幼児Ａの達成レベルを逐次特定する。具体的には、他者レベル特定部１３０ｂは、通信部１２０ｂが逐次受信した第１センシング情報における幼児Ａの達成レベルを取得することで、幼児Ａの達成レベルを特定し、その達成レベルを提示部１４０ｂに伝える。
【００２８】
情報処理装置１００ａの提示部１４０ａは、例えば情報処理装置１００ａのメモリ、ハードディスク等の記憶媒体、ディスプレイ、及び、プログラムを実行するプロセッサ等により実現される。提示部１４０ａは、自己レベル特定部１１０ａにより特定された幼児Ａの達成レベルと、他者レベル特定部１３０ａにより特定された幼児Ｂの達成レベルとに基づいて、幼児Ａに対して提示用情報を提示する。具体的には、提示部１４０ａは、幼児Ａの達成レベルと幼児Ｂの達成レベルとに基づいて提示用情報の内容或いは提示時間を決定し、その決定に従って提示用情報の提示を、例えば幼児Ａが視認可能な情報処理装置１００ａのディスプレイへの表示により、行う。詳細には、例えば、提示部１４０ａは、幼児Ａの達成レベルを示す第１提示用情報と幼児Ｂの達成レベルを示す第２提示用情報とを逐次提示し、幼児Ａの達成レベルについて所定条件Ａが成立した場合には幼児Ａの達成レベルと幼児Ｂの達成レベルとの差分に応じて第３提示用情報を提示する。この所定条件Ａは、任意に定められる。所定条件Ａは、例えば、単位時間当たりの幼児Ａの達成レベルの変化量が所定閾値（例えば０、１等）より大きくなったという条件、幼児Ａの達成レベルが前回の達成レベルより１つ上昇したという条件、例えば達成レベルが１、３、５、７等の所定数になったという条件、或いは、幼児Ａの達成レベルが幼児Ｂの達成レベルより高くその差分が閾値以上になったという条件等である。例えば、提示部１４０ａは、単位時間当たりの幼児Ａの達成レベルの変化量が所定閾値より大きくなった場合等といった上述の所定条件Ａが成立した場合に、幼児Ａの行動を褒めた内容の褒美映像を表示する。第１提示用情報は、幼児Ａの名称を含んでもよいし、第２提示用情報は、幼児Ｂの名称を含んでもよい。
【００２９】
提示部１４０ａは、例えば、第３提示用情報の提示に際して、幼児Ａの達成レベルが幼児Ｂの達成レベルより高い場合には、幼児Ａの達成レベルが幼児Ｂの達成レベルより高くない場合より長い時間に亘ってその第３提示用情報を提示する。この一例としては、提示部１４０ａは、第３提示用情報の提示に際して、幼児Ａの達成レベルが幼児Ｂの達成レベルより高くない場合には、第３提示用情報として、幼児Ａの行動を褒めた情報を表した所定時間（例えば３秒）の褒美映像を表示する。図４に、この所定時間の褒美映像の一例としての短時間映像を示す。また、提示部１４０ａは、第３提示用情報の提示に際して、幼児Ａの達成レベルが幼児Ｂの達成レベルより高い場合には、第３提示用情報として、幼児Ａの行動を褒めた情報を表した、上述の所定時間より長時間（例えば２０秒）の褒美映像を表示する。図５に、この所定時間より長時間の褒美映像の一例としての長時間映像を示す。図４及び図５の例で示した褒美映像は、キャラクターが幼児の行動を褒める内容を含む。褒美映像として、褒めるために予め定められたキーワード（例えば「やったね」、「すごい」、「よくできました」等）を含むものが有用である。情報処理装置１００ａのメモリ、ハードディスク等の記憶媒体に、短時間映像及び長時間映像を含む複数の褒美映像が記憶されている。なお、褒美映像は、静止画でも動画でもよく、キャラクターが褒める音声が付されていてもよい。
【００３０】
幼児に対して褒美映像を提示すると、幼児はその映像を見るために時間を費やし、見終わってから再び、行動目標の達成のための整理収納行動に取り掛かることが想定される。そして、幼児に対して短時間映像である褒美映像を提示した場合より、長時間映像である褒美映像を提示した場合の方が、幼児がその映像を見るために長い時間を費やすので、幼児が行動目標の達成のための整理収納行動に再び取り掛かるのが遅れる。行動目標達成支援システム１０では、この褒美映像を見るために幼児が時間を費やすこと等を利用して、競争している各幼児の達成レベルの変化を調整している。この調整は、例えば上述した短時間映像と長時間映像との選択により行われる。競争中の２人の幼児の達成レベルに大きな差が生じて、達成レベルが低い方の幼児が、行動目標の達成のための整理収納行動を継続する意欲を失うことを防止するために、この調整が行われる。
【００３１】
提示部１４０ａは更に、イメージセンサ２１ａのセンシングの結果としての幼児Ａに係る画像と、通信部１２０ａが受信した第２センシング情報における幼児Ｂの画像とをディスプレイに表示する。
【００３２】
提示部１４０ａがディスプレイに表示する画面における表示要素の配置は予め定められている。提示部１４０ａが情報処理装置１００ａのディスプレイに表示する画面３０における表示要素の配置例を図６に示す。図６に例示するように、情報処理装置１００ａのディスプレイの画面３０には、第１ユーザ名称に係る表示要素３１と、第１ユーザレベルに係る表示要素３２と、第１ユーザ画像に係る表示要素３３と、第２ユーザ名称に係る表示要素３４と、第２ユーザレベルに係る表示要素３５と、第２ユーザ画像に係る表示要素３６とが表示され、褒美映像に係る表示要素３７が上述の所定条件Ａの成立時に表示される。表示要素３１と表示要素３２との組が第１提示用情報を示し、表示要素３４と表示要素３５との組が第２提示用情報を示し、表示要素３７が第３提示用情報を示す。図６の例の情報処理装置１００ａが表示する画面３０において、第１ユーザは幼児Ａであり、第２ユーザは幼児Ｂであり、表示要素３１は幼児Ａの名称を表し、表示要素３２は幼児Ａの達成レベルを表し、表示要素３３は幼児Ａの画像を表し、表示要素３４は幼児Ｂの名称を表し、表示要素３５は幼児Ｂの達成レベルを表し、表示要素３６は幼児Ｂの画像を表し、表示要素３７は、褒美映像を表す。図７は、図６の配置例に従って提示部１４０ａが、情報処理装置１００ａのディスプレイに表示する画面の具体例を示す。図７は、幼児Ａの現在の達成レベルが２であり、幼児Ｂの現在の達成レベルが３であり、幼児Ａへの褒美映像として短時間映像が表示されている例を示している。各幼児の行動目標に係る達成レベルは、図７に示すように、林檎のマークの個数等で表されてもよい。
【００３３】
情報処理装置１００ｂの提示部１４０ｂは、例えば情報処理装置１００ｂのメモリ、ハードディスク等の記憶媒体、ディスプレイ、及び、プログラムを実行するプロセッサ等により実現される。提示部１４０ｂは、自己レベル特定部１１０ｂにより特定された幼児Ｂの達成レベルと、他者レベル特定部１３０ｂにより特定された幼児Ａの達成レベルとに基づいて、幼児Ｂに対して提示用情報を提示する。具体的には、提示部１４０ｂは、幼児Ｂの達成レベルと幼児Ａの達成レベルとに基づいて提示用情報の内容或いは提示時間を決定し、その決定に従って提示用情報の提示を、例えば幼児Ｂが視認可能な情報処理装置１００ｂのディスプレイへの表示により、行う。詳細には、例えば、提示部１４０ｂは、幼児Ｂの達成レベルを示す第４提示用情報と幼児Ａの達成レベルを示す第５提示用情報とを逐次提示し、幼児Ｂの達成レベルについて所定条件Ｂが成立した場合には幼児Ｂの達成レベルと幼児Ａの達成レベルとの差分に応じて第６提示用情報を提示する。この所定条件Ｂは、任意に定められる。所定条件Ｂは、例えば、単位時間当たりの幼児Ｂの達成レベルの変化量が所定閾値（例えば０、１等）より大きくなったという条件、幼児Ｂの達成レベルが前回の達成レベルより１つ上昇したという条件、例えば達成レベルが１、３、５、７等の所定数になったという条件、或いは、幼児Ｂの達成レベルが幼児Ａの達成レベルより高くその差分が閾値以上になったという条件等である。所定条件Ｂは、所定条件Ａと同一であってもよい。例えば、提示部１４０ｂは、単位時間当たりの幼児Ｂの達成レベルの変化量が所定閾値より大きくなった場合等といった上述の所定条件Ｂが成立した場合に、幼児Ｂの行動を褒めた内容の褒美映像を表示する。第４提示用情報は、幼児Ｂの名称を含んでもよいし、第５提示用情報は、幼児Ａの名称を含んでもよい。
【００３４】
提示部１４０ｂは、例えば、第６提示用情報の提示に際して、幼児Ｂの達成レベルが幼児Ａの達成レベルより高い場合には、幼児Ｂの達成レベルが幼児Ａの達成レベルより高くない場合より長い時間に亘ってその第６提示用情報を提示する。この一例としては、提示部１４０ｂは、第６提示用情報の提示に際して、幼児Ｂの達成レベルが幼児Ａの達成レベルより高くない場合には、第６提示用情報として、幼児Ｂの行動を褒めた情報を表した所定時間（例えば３秒）の褒美映像（図４参照）を表示する。また、提示部１４０ｂは、第６提示用情報の提示に際して、幼児Ｂの達成レベルが幼児Ａの達成レベルより高い場合には、第６提示用情報として、幼児Ｂの行動を褒めた情報を表した、上述の所定時間より長時間（例えば２０秒）の褒美映像（図５参照）を表示する。情報処理装置１００ｂのメモリ、ハードディスク等の記憶媒体に、短時間映像及び長時間映像を含む複数の褒美映像が記憶されている。
【００３５】
提示部１４０ｂは更に、イメージセンサ２１ｂのセンシングの結果としての幼児Ｂに係る画像と、通信部１２０ｂが受信した第１センシング情報における幼児Ａの画像とをディスプレイに表示する。
【００３６】
提示部１４０ｂが情報処理装置１００ｂのディスプレイに表示する画面における表示要素の配置は、上述した提示部１４０ａが情報処理装置１００ａのディスプレイに表示する画面３０における表示要素の配置例と同様である（図６参照）。但し、図６の例において表示要素３１と表示要素３２との組が第４提示用情報を示し、表示要素３４と表示要素３５との組が第５提示用情報を示し、表示要素３７が第６提示用情報を示し、表示要素３７は所定条件Ｂの成立時に表示される。情報処理装置１００ｂが表示する画面では、図６の例における第１ユーザは幼児Ｂであり、第２ユーザは幼児Ａであり、表示要素３１は幼児Ｂの名称を表し、表示要素３２は幼児Ｂの達成レベルを表し、表示要素３３は幼児Ｂの画像を表し、表示要素３４は幼児Ａの名称を表し、表示要素３５は幼児Ａの達成レベルを表し、表示要素３６は幼児Ａの画像を表し、表示要素３７は、褒美映像を表す。
【００３７】
（動作）
以下、上述の構成を備える行動目標達成支援システム１０の動作例について説明する。この説明では、幼児Ａ及び幼児Ｂの各保護者が幼児に玩具で遊んだ後に玩具を片付けるという整理収納行動を習得させるために行動目標達成支援システム１０を活用することとする。また、２人の幼児は概ね同じタイミングで整理収納行動を開始して競争するものとする。
【００３８】
図８は、行動目標達成支援システム１０の情報処理装置１００ａの動作の一例を示すフローチャートである。ここでは、幼児Ａが住む住宅２０ａにおける情報処理装置１００ａの動作を中心に説明するが、幼児Ａと整理収納行動について競争する幼児Ｂが住む住宅２０ｂにおける情報処理装置１００ｂも、情報処理装置１００ｂと同様の動作を行う。但し、情報処理装置１００ａでは幼児Ａを第１ユーザ、幼児Ｂを第２ユーザとして扱い、情報処理装置１００ｂでは幼児Ｂを第１ユーザ、幼児Ａを第２ユーザとして扱う。
【００３９】
以下、図８に即して情報処理装置１００ａの動作を説明する。図８の動作は、例えば、幼児Ａが玩具で遊んだ後に玩具を片付ける整理収納行動を開始する際に、保護者等の起動操作によって開始される。図８では省略しているが、例えば、保護者等の停止操作により、情報処理装置１００ａの動作は終了してもよいし、幼児Ａの達成レベルが最高レベルに到達した時点で動作を終了することとしてもよい。また、情報処理装置１００ｂも情報処理装置１００ａと同様に図８に示すような動作を行っているものとする。このため、情報処理装置１００ａと情報処理装置１００ｂとの間では相互に情報の授受が行われ得る。
【００４０】
まず、情報処理装置１００ａは、イメージセンサ２１ａから住宅２０ａにおいて整理収納行動中の幼児Ａ（第１ユーザ）及び玩具箱２２ａが撮像された画像を取得する（ステップＳ１１）。
【００４１】
続いて、情報処理装置１００ａの自己レベル特定部１１０ａは、ステップＳ１１で取得された画像に基づく画像認識処理の結果と達成レベル評価テーブル（図２参照）に基づいて、第１ユーザの達成レベルを評価して、第１レベルとして特定する（ステップＳ１２）。
【００４２】
また、情報処理装置１００ａの通信部１２０ａは、情報処理装置１００ｂから第２センシング情報の一部として送信される幼児Ｂ（第２ユーザ）の画像を受信する（ステップＳ１３）。また通信部１２０ａが、情報処理装置１００ｂから第２センシング情報の一部として送信される第２ユーザの達成レベルを受信して、他者レベル特定部１３０ａがその第２ユーザの達成レベルを、第２レベルとして特定する（ステップＳ１４）。なお、図８では省略しているが、情報処理装置１００ａの通信部１２０ａは、例えば第２センシング情報の受信前或いは受信後に第１ユーザの画像及び達成レベルを含む第１センシング情報を情報処理装置１００ｂに送信する。
【００４３】
次に、情報処理装置１００ａの提示部１４０ａは、ステップＳ１１〜Ｓ１４で得られた第１レベル、第２レベル、第１ユーザの画像、第２ユーザの画像等に基づいて、予め定められている配置（図６参照）に従って画面の内容を定めて、ディスプレイの表示を更新する（ステップＳ１５）。
【００４４】
次に、情報処理装置１００ａの提示部１４０ａは、第１ユーザの達成レベルについて、前回の達成レベルより１つ上昇したという条件が成立したか否かを判定する（ステップＳ１６）。その条件が成立しない場合には、情報処理装置１００ａのディスプレイには褒美映像は表示されず、情報処理装置１００ａは再びステップＳ１１での処理に戻る。
【００４５】
ステップＳ１６で条件が成立したと判定した場合には、提示部１４０ａは、第１レベルから第２レベルを減算した結果が予め定められた閾値より大きいか否かを判定する（ステップＳ１７）。この閾値は、例えば０でもよいし、例えば１、２等でもよい。
【００４６】
ステップＳ１７で否定的に判定した場合には、提示部１４０ａは、ディスプレイに、予め定められた短時間（例えば３秒）の褒美映像（図４参照）を表示する（ステップＳ１８）。そして、情報処理装置１００ａは再びステップＳ１１での処理に戻る。例えば第１レベルが２で第２レベルが３である場合においてこのステップＳ１８が実行されると、情報処理装置１００ａのディスプレイには、例えば図７に示すような画面が表示されることになる。幼児Ａ（第１ユーザ）は、その画面を見ることができる。
【００４７】
また、ステップＳ１７で肯定的に判定した場合には、提示部１４０ａは、ディスプレイに、予め定められた長時間（例えば２０秒）の褒美映像（図５参照）を表示する（ステップＳ１９）。そして、情報処理装置１００ａは再びステップＳ１１での処理に戻る。
【００４８】
このように情報処理装置１００ａが動作し、同様に情報処理装置１００ｂが動作すると、幼児Ａと幼児Ｂとは互いに自宅のディスプレイにより競争相手の画像、達成レベル等を確認でき、整理収納行動を競い合って行うことができる。これにより、各幼児は自発的に整理収納行動を行うようになり、整理収納行動の習得が促進される。
【００４９】
また、ステップＳ１７での判定により、現在の達成レベルが競争相手より閾値分高い方の幼児は、長時間の褒美映像を見ることができるようになり、整理収納行動を行う意欲が高まり得る。この達成レベルが競争相手より閾値分高い方の幼児は、長時間の褒美映像を見ることでその分、整理収納行動の再開が遅れる。これにより、その達成レベルが高い幼児と、達成レベルが低い他方の幼児との達成レベルの差が広がり難くなる。このため、差が広がり過ぎて他方の幼児が整理収納行動を行う意欲を失うことが防止され得る。
【００５０】
このように、本実施の形態に係る行動目標達成支援システム１０は、競争環境を実現することで幼児に行動目標の達成のための行動を効率的に習得させ、競争で大敗した幼児が行動意欲を失う事態が生じないように調整を行うことで、幼児の行動目標の達成のための行動を適切に支援する。
【００５１】
（実施の形態２）
以下、上述した行動目標達成支援システム１０における情報処理装置１００ａ、１００ｂを部分的に変形した実施の形態について説明する。本実施の形態に係る行動目標達成支援システム１０では、長時間の褒美映像と短時間の褒美映像とのいずれを表示するかが、幼児の上達度にも基づいて選択される。上達度は、所定行動目標の達成のための行動としての整理収納行動の上達の度合いであり、例えば、完全に整理収納行動が習得できた状態では上達度は最高値となり、整理収納行動を行ったことがない状態では上達度はゼロ（０）である。
【００５２】
（構成）
本実施の形態に係る行動目標達成支援システム１０は、情報処理装置１００ａ、１００ｂの代わりに図９に示す情報処理装置１００ｃを備える他は、実施の形態１で示した構成（図１参照）と概ね同様である。ここでは、実施の形態１と同様の構成については実施の形態１と同じ符号を用いて、実施の形態１と異なる点を中心に説明する。ここで特に説明しない点については、実施の形態１と同様である。
【００５３】
情報処理装置１００ｃは、住宅２０ａ及び住宅２０ｂに備えられ、各情報処理装置１００ｃは、相互に通信可能である。
【００５４】
住宅２０ａの情報処理装置１００ｃは、イメージセンサ２１ａから住宅２０ａ内の幼児Ａに係る画像データを取得して、幼児Ａの整理収納行動を評価し、幼児Ａに係る画像データ及び評価結果を住宅２０ｂの情報処理装置１００ｃに送信する。住宅２０ｂの情報処理装置１００ｃは、イメージセンサ２１ｂから住宅２０ｂ内の幼児Ｂに係る画像データを取得して、幼児Ｂの整理収納行動を評価し、幼児Ｂに係る画像データ及び評価結果を住宅２０ａの情報処理装置１００ｃに送信する。これにより、２つの情報処理装置１００ｃのそれぞれにおいて、各住宅において整理収納行動を行なっている２人の幼児の画像、評価結果に基づく情報等をディスプレイに表示することが可能になる。住宅２０ａの情報処理装置１００ｃにおいては住宅２０ａの幼児Ａを第１ユーザ、住宅２０ｂの幼児Ｂを第２ユーザとして扱い、住宅２０ｂの情報処理装置１００ｃにおいては住宅２０ｂの幼児Ｂを第１ユーザ、住宅２０ａの幼児Ａを第２ユーザとして扱う。
【００５５】
情報処理装置１００ｃは、通信Ｉ／Ｆ、メモリ及びプロセッサ、ディスプレイ、入力装置等を含んで構成される。情報処理装置１００ｃは、通信Ｉ／Ｆにより、例えばイメージセンサ、及び、他の情報処理装置１００ｃと通信可能である。情報処理装置１００ｃは、ここで特に説明しない点については情報処理装置１００ａ或いは情報処理装置１００ｂと同様である。
【００５６】
情報処理装置１００ｃは、画像データに基づく幼児の行動の評価、評価結果に基づく情報の提示等を行う機能を実現するために、機能面では、図９に示すように自己レベル特定部１１０ａ、通信部１２０ｃ、他者レベル特定部１３０ａ、提示部１４０ｃ及び取得部１５０ｃを備える。情報処理装置１００ｃの構成要素のうち情報処理装置１００ａと同様の構成要素については、図９において図１と同じ符号を付しており、ここでは説明を省略する。
【００５７】
取得部１５０ｃは、所定行動目標の達成についての第１ユーザ及び第２ユーザそれぞれの上達度を示す上達度情報を取得して保持する。取得部１５０ｃは、例えば、情報処理装置１００ｃのメモリ等の記憶媒体、入力装置、プログラムを実行するプロセッサ等で構成される。取得部１５０ｃは、例えば幼児の保護者等によって入力装置から入力される第１ユーザ及び第２ユーザの上達度を示す上達度情報を取得することとしてもよい。また、取得部１５０ｃは、例えば、自己レベル特定部１１０ａで特定された幼児の達成レベルについての履歴を示す履歴情報（例えば過去１ヵ月分の履歴等の情報）を記憶媒体に蓄積してその履歴情報に基づいて予め定めた演算処理等で上達度を算定することとしてもよい。そして、各住宅の情報処理装置１００ｃ間でその算定結果の授受を行うことにより、取得部１５０ｃは、算定結果による第１ユーザ及び第２ユーザの上達度を、上達度情報として定めてもよい。上達度の算定は、例えば、達成レベルを０〜１０で表す場合に、達成レベルが最高レベルの１０まで到達した日の連続数が多い程、上達度を高くするように定める演算処理等により、実現可能である。
【００５８】
通信部１２０ｃは、実施の形態１で示した通信部１２０ａ或いは通信部１２０ｂを部分的に変形したものであり、住宅２０ａの情報処理装置１００ｃの通信部１２０ｃと住宅２０ｂの情報処理装置１００ｃの通信部１２０ｃとはセンシング情報の交換を行う。このセンシング情報は、第１ユーザを撮像した画像（つまり画像データ）と自己レベル特定部１１０ａが特定した第１ユーザの達成レベルとを含み、例えば上述の上達度の算定結果を含み得る。
【００５９】
提示部１４０ｃは、実施の形態１で示した提示部１４０ａ或いは提示部１４０ｂを部分的に変形したものである。提示部１４０ｃは、第１ユーザの達成レベルを示す第１提示用情報と第２ユーザの達成レベルを示す第２提示用情報とを逐次提示し、第１ユーザの達成レベルについて所定条件が成立した場合には第１ユーザの達成レベルと第２ユーザの達成レベルとの差分に応じて第３提示用情報を提示する。所定条件は、例えば、単位時間当たりの第１ユーザの達成レベルの変化量が所定閾値より大きくなった場合、例えば、第１ユーザの達成レベルが前回の達成レベルより１つ上昇した場合等であり、上述の所定条件Ａと同様である。そして、提示部１４０ｃは、第３提示用情報の提示として褒美映像の表示を行う。提示部１４０ｃは、褒美映像の表示に際して、自己レベル特定部１１０ａで特定された第１ユーザの達成レベルと、他者レベル特定部１３０ａで特定された第２ユーザの達成レベルとの差分と、取得部１５０ｃが取得して保持する上達度情報が示す第１ユーザ及び第２ユーザの上達度の差分とに基づいて、長時間の褒美映像（図５参照）か短時間の褒美映像（図４参照）かを選択して、選択した褒美映像を表示する。
【００６０】
（動作）
以下、本実施の形態に係る行動目標達成支援システム１０の動作例について、実施の形態１と同様に、幼児Ａ及び幼児Ｂが整理収納行動を競争する例を想定して説明する。
【００６１】
図１０は、行動目標達成支援システム１０の住宅２０ａ及び住宅２０ｂにおける情報処理装置１００ｃの動作の一例を示すフローチャートである。ここでは、幼児Ａが住む住宅２０ａにおける情報処理装置１００ｃと、幼児Ｂが住む住宅２０ｂにおける情報処理装置１００ｃとが、図１０に示す動作を行う。なお、住宅２０ａの情報処理装置１００ｃでは幼児Ａを第１ユーザ、幼児Ｂを第２ユーザとして扱い、住宅２０ｂの情報処理装置１００ｃでは幼児Ｂを第１ユーザ、幼児Ａを第２ユーザとして扱う。
【００６２】
以下、図１０に即して情報処理装置１００ｃの動作を説明する。図１０の動作は、例えば、幼児が玩具で遊んだ後に玩具を片付ける整理収納行動を開始する際に、保護者等の起動操作によって開始される。図１０では省略しているが、例えば、保護者等の停止操作により、情報処理装置１００ｃの動作は終了してもよいし、第１ユーザの達成レベルが最高レベルに到達した時点で動作を終了することとしてもよい。ここでは主として住宅２０ａの情報処理装置１００ｃの動作を説明する。
【００６３】
まず、情報処理装置１００ｃは、取得部１５０ｃにより、第１ユーザ及び第２ユーザの上達度を示す上達度情報を取得して保持する（ステップＳ２１）。なお、上述したように、情報処理装置１００ｃは、他の情報処理装置１００ｃとの間で情報の授受を行う上達度情報を定めてもよい。
【００６４】
次に、情報処理装置１００ｃは、イメージセンサから整理収納行動中の第１ユーザ及び玩具箱が撮像された画像を取得する（ステップＳ２２）。住宅２０ａにおける情報処理装置１００ｃは、イメージセンサ２１ａから画像（画像データ）を取得する。
【００６５】
続いて、情報処理装置１００ｃの自己レベル特定部１１０ａは、ステップＳ２２で取得された画像に基づく画像認識処理の結果と達成レベル評価テーブル（図２参照）に基づいて、第１ユーザの達成レベルを評価して、第１レベルとして特定する（ステップＳ２３）。
【００６６】
また、情報処理装置１００ｃの通信部１２０ｃは、他の情報処理装置１００ｃからセンシング情報の一部として送信される第２ユーザの画像を受信する（ステップＳ２４）。また通信部１２０ｃが、他の情報処理装置１００ｃからセンシング情報の一部として送信される第２ユーザの達成レベルを受信して、他者レベル特定部１３０ａがその第２ユーザの達成レベルを、第２レベルとして特定する（ステップＳ２５）。なお、図１０では省略しているが、情報処理装置１００ｃの通信部１２０ｃは、例えばステップＳ２４、Ｓ２５でのセンシング情報の受信前或いは受信後に第１ユーザの画像及び達成レベルを含むセンシング情報を、他の情報処理装置１００ｃに送信する。
【００６７】
次に、情報処理装置１００ｃの提示部１４０ｃは、ステップＳ２１〜Ｓ２５で得られた各ユーザの上達度、第１レベル、第２レベル、第１ユーザの画像、第２ユーザの画像等に基づいて、予め定められている配置（図６参照）に従って画面の内容を定めて、ディスプレイの表示を更新する（ステップＳ２６）。
【００６８】
次に、情報処理装置１００ｃの提示部１４０ｃは、第１ユーザの達成レベルについて、前回の達成レベルより１つ上昇したという条件が成立したか否かを判定する（ステップＳ２７）。その条件が成立しない場合には、情報処理装置１００ｃのディスプレイには第３提示用情報としての褒美映像は表示されず、情報処理装置１００ｃは再びステップＳ２１での処理に戻る。
【００６９】
ステップＳ２７で条件が成立したと判定した場合には、提示部１４０ｃは、第１レベルから第２レベルを減算して、上達度の差分を加算した結果が予め定められた閾値より大きいか否かを判定する（ステップＳ２８）。この上達度の差分は、第１ユーザの上達度から第２ユーザの上達度を減算して得られる。閾値は、例えば０でもよいし、例えば１、２等でもよい。上達度の差分が大きいと、小さい場合に比べてステップＳ２８での判定で肯定的に判定され易い。
【００７０】
ステップＳ２８で否定的に判定した場合には、提示部１４０ｃは、ディスプレイに、予め定められた短時間（例えば３秒）の褒美映像（図４参照）を表示する（ステップＳ２９）。そして、情報処理装置１００ｃは再びステップＳ２１での処理に戻る。
【００７１】
また、ステップＳ２８で肯定的に判定した場合には、提示部１４０ｃは、ディスプレイに、予め定められた長時間（例えば２０秒）の褒美映像（図５参照）を表示する（ステップＳ３０）。そして、情報処理装置１００ｃは再びステップＳ２１での処理に戻る。
【００７２】
このように住宅２０ａ及び住宅２０ｂのそれぞれで情報処理装置１００ｃが動作すると、幼児Ａと幼児Ｂとは互いに自宅のディスプレイにより競争相手の画像、達成レベル等を確認でき、整理収納行動を競い合って行うことができる。これにより、各幼児は自発的に整理収納行動を行うようになり、整理収納行動の習得が促進される。
【００７３】
また、ステップＳ２８での判定により、２人の幼児の上達度の差を踏まえて、長時間の褒美映像を表示するか短時間の褒美映像を表示するかが選択される。これにより、上達度の差が大きい場合に、幼児間の達成レベルの差が広がり易くなることに対応して褒美映像の時間が調整され得る。
【００７４】
このように、本実施の形態に係る行動目標達成支援システム１０は、競争環境を実現することで幼児に行動目標の達成のための行動を効率的に習得させる。また、行動目標達成支援システム１０は、競争で大敗した幼児が行動意欲を失う事態が生じないように上達度を踏まえた調整を行うことで、幼児の行動目標の達成のための行動を適切に支援する。
【００７５】
（他の実施の形態等）
以上、実施の形態１、２により行動目標達成支援システム１０について説明したが、上述した実施の形態は一例に過ぎず、各種の変更、付加、省略等が可能であることは言うまでもない。
【００７６】
上述の実施の形態では、行動目標達成支援システム１０が、幼児のユーザが玩具を全て片付けるという行動目標を達成するための整理収納行動を習得することを支援する例を示した。しかし、行動目標達成支援システム１０のユーザは必ずしも幼児に限られず、例えば児童、或いは成人等であってもよい。また、整理収納行動は、行動目標を達成するための特定の行動の一例に過ぎず、特定の行動は、例えば動植物の世話、掃除、体操等、いかなる行動でもよく、行動目標をどのように定めてもよい。
【００７７】
また、上述の実施の形態では、行動目標達成支援システム１０が、主に住宅内に設置された装置類で構成される例を示した。しかし、行動目標達成支援システム１０は、住宅内に設置された装置類を含んでも含まなくてもよく、住宅外に設置された装置類を含んで構成されてもよいし、また、可搬性を有する装置類を含んで構成されてもよい。また、情報処理装置１００ａ、１００ｂ、１００ｃは、住宅内に設置された装置でなくてもよく、例えば、幼児の保護者等といった、行動目標達成支援システム１０のユーザの支援者が携帯するスマートフォン、タブレット等の情報端末であってもよい。なお、情報処理装置１００ａ、１００ｂ、１００ｃを情報端末とした場合において、提示部１４０ａ、１４０ｂ、１４０ｃは、例えば情報端末の外部のディスプレイ装置、プロジェクタ、テレビジョン受信機等を介して第１ユーザへの提示用情報の提示（例えば図６、図７に示す画面の表示等）を行うこととしてもよい。また、実施の形態で示した住宅２０ａ、２０ｂは、住宅以外の相互に離間した施設（例えば保育施設、病院等の建築物）であってもよい。
【００７８】
また、上述の実施の形態では、行動目標達成支援システム１０の２人のユーザ（第１ユーザ及び第２ユーザ）が、別々の住宅に所在して整理収納行動に係る競争を行う例を示したが、同じ住宅等の施設内の別々の部屋に所在してもよい。また、住宅２０ａの同じ部屋に２人のユーザが所在して各ユーザが同じ１つのディスプレイを視認可能であれば、行動目標達成支援システム１０はイメージセンサ２１ａと情報処理装置１００ａとだけを備えてもよい。この場合にユーザ（第１ユーザ及び第２ユーザ）はそれぞれ別個の玩具箱に自分の玩具を収納する。この場合には、情報処理装置１００ａの通信部１２０ａは不要となる。そして、情報処理装置１００ａの自己レベル特定部１１０ａがイメージセンサ２１ａから得られる画像に基づいて第１ユーザの達成レベルを特定することと同様の方法で、その画像に基づいて他者レベル特定部１３０ａが、第２ユーザの達成レベルを特定してもよい。また、各ユーザが用いる玩具箱が収納された玩具の合計重量を測定する重量センサを内蔵しているような場合であれば、情報処理装置１００ａの自己レベル特定部１１０ａが、第１ユーザが用いる玩具箱の重量センサから得られる測定結果としての重量データに基づいて第１ユーザの達成レベルを特定し、他者レベル特定部１３０ａが、第２ユーザが用いる玩具箱の重量センサから得られる測定結果としての重量データに基づいて第２ユーザの達成レベルを特定してもよい。
【００７９】
また、上述の実施の形態では、提示部１４０ａは、第３提示用情報としての褒美映像の提示に際して、第１レベルから第２レベルを減算した結果が閾値より大きいか否かで、長時間の褒美映像を表示するか短時間の褒美映像を表示するかを選択することとした。この代わりに、提示部１４０ａは、第３提示用情報としての褒美映像の提示に際して、第１レベルと第２レベルとの差分に応じて定めた時間に亘って第３提示用情報を提示することとしてもよい。具体的には、予め１分間の映像等の第３提示用情報を定めておき、１分以内で、第１レベルと第２レベルとの差に比例した時間だけ、第３提示用情報を提示することとしてもよい。また、同様に、提示部１４０ｃは、第１レベルと第２レベルとの差分と、上達度情報が示す第１ユーザ及び第２ユーザの上達度の差分とに応じて定めた時間に亘って第３提示用情報を提示することとしてもよい。
【００８０】
また、上述の実施の形態では、提示部１４０ａが、第３提示用情報としての褒美映像の提示に際して、第１レベルと第２レベルとに基づいて褒美映像の提示時間を変化させる例を示した。しかし、提示部１４０ａは、第１レベルと第２レベルとに応じて第３提示用情報の提示時間を変化させずに、第１レベルと第２レベルとに応じて第３提示用情報としての褒美映像の内容のみを変化させることとしてもよい。例えば、提示部１４０ａは、ユーザへの第３提示用情報の提示に際して、第１レベルが第２レベルより高い場合には、第１レベルが第２レベルより高くない場合より長い時間に亘ってそのユーザの所定行動目標の達成を阻むように予め定められた内容を示す第３提示用情報を提示することとしてもよい。所定行動目標の達成を阻むように予め定められた内容は、例えば、幼児に対して、保護者の所在する場所まで移動してから元の場所に戻ることを指示する情報等を含む。これは、ユーザ間の競争に大差がつかないように調整するために有用である。また、提示部１４０ａは、第３提示用情報の提示に際して、第１レベルと第２レベルとの差分に応じて定めた内容の第３提示用情報を提示することとしてもよい。この場合にユーザに提示される第３提示用情報の内容は、例えば、第１レベルが第２レベルより大きいとすればその差分が大きい程、長い時間に亘ってそのユーザの所定行動目標の達成を阻む効果を奏するように予め定められることが有用である。
【００８１】
また、上述の実施の形態で示した行動目標達成支援システム１０における情報処理装置１００ａ、１００ｂ、１００ｃの機能の一部を他の装置が分担してもよい。他の装置は、住宅の外部のサーバ等といった、情報処理装置１００ａ、１００ｂ、１００ｃに対して遠隔地に設置されたコンピュータであってもよい。例えば、上述の実施の形態で示した情報処理装置１００ａ、１００ｂ、１００ｃの各構成要素（自己レベル特定部、他者レベル特定部、通信部、提示部等）は、１つの装置の筐体内に実装されてもよいし、相互に通信可能な複数の離間した装置に分散して実装されてもよい。
【００８２】
また、上述の行動目標達成支援システム１０の動作手順（図８、図１０参照）の実行順序は、必ずしも、上述した通りの順序に制限されるものではなく、発明の要旨を逸脱しない範囲で、実行順序を入れ替えたり、その一部を省略したり、その一部を並列に実行したりすることができる。また、図８、図１０に示された手順の全部又は一部を含む情報処理は、情報処理装置１００ａ、１００ｂ、１００ｃ或いは他の装置の電子回路等のハードウェアによりソフトウェアを用いずに実現されても、ソフトウェアを用いて実現されてもよい。なお、ソフトウェアによる処理は、情報処理装置１００ａ、１００ｂ、１００ｃ或いは他の装置に含まれるプロセッサがメモリに記憶されたプログラムを実行することにより実現されるものである。また、そのプログラムを記録媒体に記録して頒布や流通させてもよい。例えば、頒布されたプログラムを装置にインストールして、装置のプロセッサに実行させることで、装置に情報処理装置１００ａ等の機能を実行させることが可能となる。
【００８３】
また、上述した実施の形態及び変形例等で示した構成要素及び機能を任意に組み合わせることで実現される形態も本発明の範囲に含まれる。
【００８４】
なお、本発明の包括的又は具体的な各種態様には、装置、システム、方法、集積回路、コンピュータプログラム、コンピュータで読み取り可能な記録媒体等の１つ又は複数の組み合わせが含まれる。本開示におけるシステム又は方法の主体は、例えばコンピュータを備えている。このコンピュータがプログラムを実行することによって、本開示における装置、システム又は方法の主体の機能が実現され得る。コンピュータは、プログラムに従って動作するプロセッサを主なハードウェア構成として備える。プロセッサは、プログラムを実行することによって機能を実現することができれば、その種類は問わない。プロセッサは、半導体集積回路（ＩＣ）又はＬＳＩ（Large Scale Integration）を含む一つ又は複数の電子回路で構成される。複数の電子回路は、一つのチップに集積されてもよいし、複数のチップに設けられてもよい。複数のチップは一つの装置に集約されていてもよいし、複数の装置に備えられていてもよい。プログラムは、コンピュータが読み取り可能なＲＯＭ、光ディスク、ハードディスク等の非一時的記録媒体に記録され得る。プログラムは、記録媒体に予め格納されていてもよいし、インターネット等を含む広域通信網を介して記録媒体に供給されてもよい。
【００８５】
以下、本発明の一態様に係る行動目標達成支援システム、並びに、この行動目標達成支援システムで用いられる情報処理方法及びプログラムの構成、変形態様、効果等について示す。
【００８６】
（１）本発明の一態様に係る行動目標達成支援システムは、所定行動目標の達成を支援する行動目標達成支援システム１０であって、第１ユーザの行動に関連したセンシングの結果に基づいて第１ユーザの所定行動目標の達成度合いを示す第１レベルを逐次特定する第１特定部（例えば自己レベル特定部１１０ａ）と、第２ユーザの行動に関連したセンシングの結果に基づいて第２ユーザの所定行動目標の達成度合いを示す第２レベルを逐次特定する第２特定部（例えば他者レベル特定部１３０ａ）と、第１レベルと第２レベルとに基づいて、第１ユーザに対して提示用情報を提示する第１提示部（例えば提示部１４０ａ、１４０ｃ）とを備える。所定行動目標は、例えば所定の玩具の全てを玩具箱に収納することであり、第１レベル、第２レベルは、例えば、その玩具の玩具箱への収納という整理収納行動の達成レベルである。この行動目標達成支援システムによれば、行動目標の達成のための行動について、ユーザ間の競争環境が実現され、ユーザが行動目標の達成のための行動を効率的に習得できるようになる。なお、第１提示部は、更に第２ユーザに対して提示すべき提示用情報の提示を行ってもよいし、行動目標達成支援システムにおいて、第１提示部と別に第２ユーザに対して提示すべき提示用情報の提示を行う第２提示部が備えられてもよい。
【００８７】
（２）例えば、第１提示部（例えば提示部１４０ａ、１４０ｃ）は、第１特定部により特定された第１レベルを示す第１提示用情報と第２特定部により特定された第２レベルを示す第２提示用情報とを逐次提示し、第１レベルについて所定条件が成立した場合には第１レベルと第２レベルとの差分に応じて第３提示用情報を提示することとしてもよい。所定条件は、例えば、ユーザに対する行動目標の達成の支援の見地から定められる任意の条件であり得る。これにより、ユーザ間の所定行動目標の達成度合いの差分に応じて第３提示用情報の提示を変化させ得る。従って、この構成は、第３提示用情報の提示によって達成度合いの差分を低減させる等の調整を行うために有用となる。
【００８８】
（３）例えば、第１提示部（例えば提示部１４０ａ）は、第３提示用情報の提示に際して、第１特定部に特定された第１レベルが第２特定部に特定された第２レベルより高い場合には、その第１レベルがその第２レベルより高くない場合より長い時間に亘って第３提示用情報を提示することとしてもよい。これにより、相対的に第１ユーザのレベルが高い場合には、第１ユーザが第３提示用情報の視聴等に要する時間を長くすることができる。このため、ユーザ間のレベルの差が減少する可能性が高まる。
【００８９】
（４）例えば、第１提示部は、第３提示用情報の提示に際して、第１特定部に特定された第１レベルが第２特定部に特定された第２レベルより高くない場合には、第３提示用情報として、第１ユーザの行動を褒めた情報を表した所定時間の映像を表示し、第１レベルが第２レベルより高い場合には、第３提示用情報として、第１ユーザの行動を褒めた情報を表した、前記所定時間より長時間の映像を表示することとしてもよい。これにより、第１ユーザを褒める褒美映像の表示により第１ユーザの自発的な行動が促進されることが期待できる。また、第１ユーザのレベルが相対的に高い場合には第１ユーザが褒美映像を長く見ることになるので、第２ユーザとのレベルの差が将来的に低減される。このことは、競争において大差で敗北したユーザが所定行動目標の達成のための行動への意欲を失うという競争の悪影響を、抑制する効果を奏する。
【００９０】
（５）例えば、第１提示部は、第３提示用情報の提示に際して、第１特定部に特定された第１レベルと第２特定部に特定された第２レベルとの差分に応じて定めた時間に亘って第３提示用情報を提示することとしてもよい。これにより、例えばユーザ間のレベル差が大きい程、長く第３提示用情報を提示する等が可能となる。この構成は、ユーザ間のレベル差を減少させるために有用となる。
【００９１】
（６）例えば、行動目標達成支援システム１０は更に、所定行動目標の達成についての第１ユーザ及び第２ユーザそれぞれの上達度を示す上達度情報を取得する取得部１５０ｃを備え、第１提示部（例えば提示部１４０ｃ）は、第１特定部に特定された第１レベルと第２特定部に特定された第２レベルとの差分と、上達度情報が示す第１ユーザ及び第２ユーザの上達度の差分とに応じて定めた時間に亘って第３提示用情報を提示することとしてもよい。これにより、上達度の差が大きい場合に、ユーザ間の達成レベルの差（つまり第１レベルと第２レベルとの差）が広がり易くなることに対応して、第３提示用情報の時間の調整が可能となり得る。
【００９２】
（７）例えば、第１提示部は、第３提示用情報の提示に際して、第１特定部に特定された第１レベルが第２特定部に特定された第２レベルより高い場合には、その第１レベルがその第２レベルより高くない場合より長い時間に亘って所定行動目標の達成を阻むように予め定められた内容を示す第３提示用情報を提示することとしてもよい。これにより、第１ユーザのレベルが相対的に高い場合には、第１ユーザが第３提示用情報を見ることによって長い時間、行動目標の達成が阻まれる。このため、第１ユーザと第２ユーザとのレベルの差が低減され得る。このことは、競争において大差で敗北したユーザが所定行動目標の達成のための行動への意欲を失うという競争の悪影響を、抑制する効果を奏する。
【００９３】
（８）例えば、第１提示部は、第３提示用情報の提示に際して、第１特定部に特定された第１レベルと第２特定部に特定された第２レベルとの差分に応じて定めた内容の第３提示用情報を提示することとしてもよい。これにより、ユーザ間の所定行動目標の達成度合いの差分に応じて第３提示用情報の内容を変化させ得る。従って、この構成は、第３提示用情報の提示によって達成度合いの差分を低減させる等の調整を行うために有用となる。
【００９４】
（９）例えば、第１提示部は、単位時間当たりの第１レベルの変化量が所定閾値より大きくなった場合に、第１ユーザの行動を褒めた情報を提示することとしてもよい。これにより、第１ユーザに、その行動を自発的に実行する頻度を増加させる影響が与えられる。
【００９５】
（１０）例えば、第１特定部（例えば自己レベル特定部１１０ａ）と第２特定部（例えば他者レベル特定部１３０ａ）と第１提示部（例えば提示部１４０ａ）とは、第１ユーザが所定行動目標のための行動を行う第１施設（例えば住宅２０ａ）内に所在し、第１特定部は、第１施設におけるセンサ（例えばイメージセンサ２１ａ）によるセンシングの結果に基づいて第１レベルを逐次特定し、行動目標達成支援システム１０は、第１施設と離れた、第２ユーザが所定行動目標の行動を行う第２施設（例えば住宅２０ｂ）における第２通信部（例えば通信部１２０ｂ）から第２施設におけるセンサ（例えばイメージセンサ２１ｂ）によるセンシングの結果に基づくセンシング情報を逐次受信する第１通信部（例えば通信部１２０ａ）を備え、第２特定部は、第１通信部が逐次受信したセンシング情報に基づいて第２レベルを逐次特定することとしてもよい。これにより、第１ユーザと第２ユーザとが別個の施設に所在する場合においても、行動目標の達成のための行動について、ユーザ間の競争環境が実現され、ユーザの行動目標の達成が支援される。
【００９６】
（１１）例えば、第１特定部（例えば自己レベル特定部１１０ａ）と第２特定部（例えば他者レベル特定部１３０ａ）と第１提示部（例えば提示部１４０ａ）とは、第１ユーザが所定行動目標のための行動を行う第１施設（例えば住宅２０ａ）内に所在し、第１特定部は、第１施設におけるセンサによるセンシングの結果に基づいて第１レベルを逐次特定し、行動目標達成支援システム１０は、第１施設におけるセンサ（例えばイメージセンサ２１ａ）によるセンシングの結果に基づく第１センシング情報を逐次送信する、第１施設における第１通信部（例えば通信部１２０ａ）と、第１施設と離れた、第２ユーザが所定行動目標の行動を行う第２施設（例えば住宅２０ｂ）におけるセンサ（例えばイメージセンサ２１ｂ）によるセンシングの結果に基づく第２センシング情報を逐次送信する、第２施設における第２通信部（例えば通信部１２０ｂ）とを備え、第１通信部は、第２センシング情報を逐次受信し、第２通信部は、第１センシング情報を逐次受信し、第２特定部は、第１通信部が逐次受信した第２センシング情報に基づいて第２レベルを逐次特定し、行動目標達成支援システム１０は更に、第１センシング情報に基づいて、第２施設内で第２ユーザに対して提示用情報を提示する第２提示部（例えば提示部１４０ｂ）を備え、第１センシング情報は、第１ユーザをイメージセンサ２１ａで撮像した画像を含み、第２センシング情報は、第２ユーザをイメージセンサ２１ｂで撮像した画像を含み、第１提示部（例えば提示部１４０ａ）は更に、第１通信部が逐次受信した第２センシング情報に含まれる第２ユーザに係る画像を表示し、第２提示部は更に、第２通信部が逐次受信した第１センシング情報に含まれる第１ユーザに係る画像を表示することとしてもよい。これにより、第１ユーザと第２ユーザとが別個の施設に所在する場合においても、各ユーザが競争相手の様子を画像で確認できるようなユーザ間の競争環境が実現され、ユーザの行動目標の達成が支援される。
【００９７】
（１２）例えば、所定行動目標は、ユーザが使用した収納対象物品（例えば玩具等）を収納することであり、第１レベルは、第１ユーザが使用した収納対象物品の総数に対する収納済みの物品の数であり、第２レベルは、第２ユーザが使用した収納対象物品の総数に対する収納済みの物品の数であることとしてもよい。これにより、ユーザ間での適切な競争が可能となり得る。
【００９８】
（１３）本発明の一態様に係る情報処理方法は、所定行動目標の達成を支援する行動目標達成支援システム１０で用いられる情報処理方法であって、第１ユーザ（例えば幼児Ａ）の行動に関連したセンシングの結果に基づいて第１ユーザの所定行動目標の達成度合いを示す第１レベルを逐次特定する第１特定ステップ（例えばステップＳ１２、Ｓ２３）と、第２ユーザ（例えば幼児Ｂ）の行動に関連したセンシングの結果に基づいて第２ユーザの所定行動目標の達成度合いを示す第２レベルを逐次特定する第２特定ステップ（例えばステップＳ１４、Ｓ２５）と、第１ユーザに対して、第１特定ステップで特定された第１レベルを示す第１提示用情報と第２特定ステップで特定された第２レベルを示す第２提示用情報とを逐次提示し、その第１レベルについて所定条件が成立した場合にはその第１レベルとその第２レベルとの差分に応じて第３提示用情報を提示する提示ステップ（例えばステップＳ１５、Ｓ１７〜Ｓ１９、Ｓ２６、Ｓ２８〜Ｓ３０等）とを含む。これにより、行動目標の達成のための行動についてユーザ間の競争環境が実現されるので、ユーザが行動目標の達成のための行動を効率的に習得できるようになる。
【００９９】
（１４）本発明の一態様に係るプログラムは、所定行動目標の達成を支援する行動目標達成支援システム１０を構成するコンピュータ（例えば情報処理装置１００ａ、１００ｃ）に情報処理を実行させるためのプログラムであって、その情報処理は、第１ユーザの行動に関連したセンシングの結果に基づいて第１ユーザの所定行動目標の達成度合いを示す第１レベルを逐次特定する第１特定ステップ（例えばステップＳ１２、Ｓ２３）と、第２ユーザの行動に関連したセンシングの結果に基づいて第２ユーザの所定行動目標の達成度合いを示す第２レベルを逐次特定する第２特定ステップ（例えばステップＳ１４、Ｓ２５）と、第１ユーザに対して、第１特定ステップで特定された第１レベルを示す第１提示用情報と第２特定ステップで特定された第２レベルを示す第２提示用情報とを逐次提示し、その第１レベルについて所定条件が成立した場合にはその第１レベルとその第２レベルとの差分に応じて第３提示用情報を提示する提示ステップ（例えばステップＳ１５、Ｓ１７〜Ｓ１９、Ｓ２６、Ｓ２８〜Ｓ３０等）とを含む。このプログラムをコンピュータにインストールして実行させることにより、行動目標の達成のための行動についてユーザ間の競争環境が実現される。これにより、ユーザが行動目標の達成のための行動を効率的に習得できるようになる。
【符号の説明】
【０１００】
１０  行動目標達成支援システム
２１ａ、２１ｂ  イメージセンサ
１１０ａ  自己レベル特定部（第１特定部）
１２０ａ、１２０ｂ  通信部
１３０ａ  他者レベル特定部（第２特定部）
１４０ａ、１４０ｂ、１４０ｃ  提示部
１５０ｃ  取得部
【図１】
2018195004.tif 000003
【図２】
2018195004.tif 000004
【図３】
2018195004.tif 000005
【図４】
2018195004.tif 000006
【図５】
2018195004.tif 000007
【図６】
2018195004.tif 000008
【図７】
2018195004.tif 000009
【図８】
2018195004.tif 000010
【図９】
2018195004.tif 000011
【図１０】
2018195004.tif 000012